(57)【要約】【課題】  従来の収差低減型の眼内レンズの像が鮮明に見えるとの利点を維持しつつ、眼内挿入時に眼内レンズの光軸と眼球の光軸がずれた場合にもコントラストの低下が少ない眼内レンズを得る。【解決手段】  眼内レンズ１０を眼内に挿入したときに角膜の球面収差を打ち消すように設定される度数分布を基準度数分布Ｍ1としたときに、眼内レンズ１０の中心領域１１中に、前記基準度数分布で表される度数よりも大きい度数を有する領域である正度数偏移領域Ｅ1と前記基準度数分布で表される度数よりも小さい度数を有する領域である負度数偏移領域Ｅ2とをそれぞれ少なくとも１つ備えた度数分布を有することによって、眼内に挿入した眼内レンズの光軸が眼球の光軸からズレたときに生ずるコントラストの低下を少なくすることを可能にした。【選択図】  図１
2007330478.tif 000002
【特許請求の範囲】
【請求項１】
眼内レンズを眼内に挿入したときに角膜の球面収差を打ち消すように設定される度数分布を基準度数分布としたときに、この眼内レンズの中心近傍の領域中に、前記基準度数分布で表される度数よりも大きい度数を有する領域である正度数偏移領域と前記基準度数分布で表される度数よりも小さい度数を有する領域である負度数偏移領域とをそれぞれ少なくとも１つ備えた度数分布を有することによって、眼内に挿入した眼内レンズの光軸が眼球の光軸からズレたときに生ずるコントラストの低下を少なくしたことを特徴とする眼内レンズ。
【請求項２】
前記正度数偏移領域と前記負度数偏移領域とは光軸を中心とする円または環状領域であることを特徴とする請求項１記載の眼内レンズ。
【請求項３】
前記中心領域は光軸を中心とした半径0.7ｍｍ以上1.75ｍｍ以内の略円状であることを特徴とする請求項１又は２記載の眼内レンズ。
【請求項４】
前記正度数偏移領域の基準度数からの度数偏移量の平均値は0.1ディオプター以上0.8ディオプター以内であり、前記負度数偏移領域の基準度数からの度数偏移量の平均値は0.1ディオプター以上0.8ディオプター以内であることを特徴とする請求項１〜３のいずれかに記載の眼内レンズ。
【発明の詳細な説明】
【技術分野】
【０００１】
本発明は、眼内に挿入したときに生じる軸づれによるコントラストの低下を低減できるようにした眼内レンズに関する。
【背景技術】
【０００２】
白内障等により水晶体の除去手術を行なった眼球には、視力回復のために眼内レンズが挿入される。現在の眼内レンズの光学設計の主流は球面設計である。それは球面レンズは眼内レンズに要求される多くの機能をほどほどに有しており、また、製造上も作り易く、度数管理をする上でも便利だからである。しかしながら、ある特定の機能に着目し、その機能の向上を目指した眼内レンズも開発されている。その特定機能の向上を目指した技術の流れは２つの流れに分けることができ、その第１の流れは、近い物体から遠くの物体までを見ることができるようにしようとの試みであり、第２の流れは、より鮮明に物体を見ることができるようにしようとの試みである。
【０００３】
上記第１の流れの代表的な眼内レンズがマルチフォーカル眼内レンズである。眼内レンズの光学領域を複数個のゾーンに分け、それぞれのゾーンに近くを見るための度数分布、中間距離を見るための度数分布、遠くを見るための度数分布を持たせている。どの距離を重視するかにより光学設計が異なることになるが、いづれの設計においても各ゾーンに入る光量がレンズ全体で光を捉える球面レンズと比べて少なくなるため、見える範囲が広がるかわりにコントラスト（鮮明さ）が落ちることになる（例えば、特許文献１参照）。
【０００４】
同様の技術的思想に基づいた発明として、特許文献２に記載の発明がある。この発明は、近、中、遠距離の全てをカバーするものではないが、例えば近距離の焦点深度を深くもたせることで、球面レンズよりも見える範囲を広げようとの試みである。当然この発明による眼内レンズも球面レンズと比べコントラストが落ちることになる。
【０００５】
一方、第２の流れにある技術は、第１のものとは全く逆の考えに立っている。すなわち見える範囲を犠牲にするかわりに、コントラスト（鮮明さ）を上げようとする試みである。球面の眼内レンズを眼内に挿入した場合、角膜自体の収差や眼内レンズの収差が重なりあって、焦点は網膜上に集まることはない。この収差を低減させようとの試みが二つ目の流れである。角膜自体の球面収差や眼内レンズの球面収差は光軸から離れるに従って大きくなる。すなわち眼内に入る光線の幅が狭いときには球面収差の影響は少ないが、光線の幅が広いときには球面収差の影響が大きくでてくる。例えば、夜間車を運転しているときの瞳孔径は3.2ｍｍ以上となるが、この瞳孔径だと球面収差の影響を大きく受け物体のコントラストが低下し、車を運転するには危険となる場合もある。この種の問題を解決しようとの試みが第２の流れにある技術である（例えば、特許文献3,4,5参照）。
【０００６】
特許文献３〜５に記載の技術は、いずれも球面収差の低減を図っているが、焦点深度が浅くなるため、球面レンズに比べると見える範囲が狭くなるとの欠点を有する。これら収差補正用のレンズは光軸から離れるに従って大きくなる球面収差の低減を図っているものであるから、マルチフォーカルレンズの度数分布と比べると単純な度数分布となっている。
【特許文献１】特開昭60-85744号公報
【特許文献２】特表2000-511439号公報
【特許文献３】米国特許第4504982号明細書
【特許文献４】特表2003−534565号公報
【特許文献５】特開2000−14818号公報
【発明の開示】
【発明が解決しようとする課題】
【０００７】
ところで、上記第２の流れにある収差低減用の眼内レンズには前述の見える範囲が狭くなるとの欠点の他にも大きな欠点があることが判明した。すなわち、眼内に眼内レンズを設置するときにはかならずしも眼内レンズの光軸が眼球の光軸に一致できるとは限らない。むしろ軸がずれることが一般的であり、文献によれば平均0.3ｍｍの軸ずれが生じることが判明している。図３３は眼内レンズの光軸が眼球の光軸からずれている様子を示す図である。図３３に示したように、角膜２０や網膜３０等を含む眼球光学系の光軸をＯＩとしたとき、眼内に設置された眼内レンズ１０の光軸ＯＬは、ＯＩからΔＩＬだけずれた状態になっている。文献や教科書等によれば、瞳孔径が大きいときには、収差低減用の眼内レンズは軸がずれたときに生じるコントラストの低減が、球面レンズの場合と比較して非常に大きいことが報告されている。
本願発明は従来の収差低減型の眼内レンズの像が鮮明に見えるとの利点を維持しつつ、眼内挿入時に眼内レンズの光軸と眼球の光軸がずれた場合にもコントラストの低下が少ない眼内レンズを得ることを目的とする。
【課題を解決するための手段】
【０００８】
上述の課題を解決するための手段として、第１の手段は、
眼内レンズを眼内に挿入したときに角膜の球面収差を打ち消すように設定される度数分布を基準度数分布としたときに、この眼内レンズの中心領域中に、前記基準度数分布で表される度数よりも大きい度数を有する領域である正度数偏移領域と前記基準度数分布で表される度数よりも小さい度数を有する領域である負度数偏移領域とをそれぞれ少なくとも１つ備えた度数分布を有することによって、眼内に挿入した眼内レンズの光軸が眼球の光軸からズレたときに生ずるコントラストの低下を少なくしたことを特徴とする眼内レンズである。
第２の手段は
前記正度数偏移領域と前記負度数偏移領域とは光軸を中心とする円または環状領域であることを特徴とする第１の手段にかかる眼内レンズである。
第３の手段は、
前記中心領域は光軸を中心とした半径0.7ｍｍ以上1.75ｍｍ以内の略円状であることを特徴とする第１又は第２の手段にかかる記載の眼内レンズである。
第４の手段は、
前記正度数偏移領域の基準度数からの度数偏移量の平均値は0.1ディオプター以上0.8ディオプター以内であり、前記負度数偏移領域の基準度数からの度数偏移量の平均値は0.1ディオプター以上0.8ディオプター以内であることを特徴とする第１〜第３の手段のいずれかにかかる眼内レンズである。
【発明の効果】
【０００９】
上述の手段によれば、眼内レンズの中心領域中に、基準度数分布で表される度数よりも大きい度数を有する領域である正度数偏移領域と前記基準度数分布で表される度数よりも小さい度数を有する領域である負度数偏移領域とをそれぞれ少なくとも１つ備えた度数分布を有するようにしたことにより、眼内挿入時に眼内レンズの光軸と眼球の光軸とがずれた場合にもコントラストの低下が少ない眼内レンズを得ることが可能になった。この場合、前記中心領域は光軸を中心とした半径0.7ｍｍ以上1.75ｍｍ以内の略円状であることが好ましい。0.7ｍｍよりも小さいときや1.75ｍｍよりも大きいときには軸ずれによるコントラストの低下を抑制する機能は充分ではない。より好ましい範囲としては1.2ｍｍ以上1.5ｍｍ以下である。また、前記正度数偏移領域の基準度数からの度数偏移量又はその平均値は0.1ディオプター以上0.8ディオプター以内が好ましく、前記負度数偏移領域の基準度数からの度数偏移量又はその平均値は0.1ディオプター以上0.8ディオプター以内であることが好ましい。0.1ディオプターよりも小さいときは軸ズレによるコントラストの低下を抑制する機能が十分でなく、0.8ディオプターより大きいときは鮮明な像を得ることができない。一般的な環境照明を考慮すると、より好ましい範囲としては0.2ディオプター以上0.5ディオプター以下である。なお、上記手段によれば、軸ずれの他、眼内挿入時に傾斜があった場合にもコントラストの低下が少ないことがわかった。
【発明を実施するための最良の形態】
【００１０】
図１は本発明の実施の形態１にかかる眼内レンズの度数分布の説明図、図２は眼内レンズと角膜とで構成される眼内の光学系の概略説明図、図３は本発明の実施の形態１にかかる眼内レンズの度数分布並びに球面眼内レンズの度数分布および基準度数分布を示すグラフである。以下、これらの図面を参照にしながら、本発明の実施の形態１にかかる眼内レンズについて説明する。
【００１１】
これらの図において、符号１０は、眼内レンズ（ＩＯＬ）である。この眼内レンズ１０は、軟質アクリル、シリコンあるいはハイドロゲル等の軟質材料、又は、ＰＭＭＡ等の硬質の材料で構成された略円形状をなしたレンズである。なお、図示しないが、その外周部には、必要に応じて支持腕等が取り付けられる。この眼内レンズ１０の光学中心Ｏの近傍の領域１１、すなわち、光学中心Ｏを中心とする半径ｒ2の円内に含まれる領域１１は、ｒ2より小径の半径ｒ1の円の中に含まれる領域Ｅ1と、この半径ｒ1の円とその外側にある半径ｒ2の円とで囲まれる領域Ｅ2とを有する。そして、この半径ｒ2の円の外側から外周縁までは、領域Ｅ3となっている。
【００１２】
図１において、眼内レンズ１０の下方に示されたグラフは、この眼内レンズ１０の光学中心Ｏからの半径方向の距離ｒを横軸にとり、縦軸に距離ｒにおける各位置での眼内レンズ１０の度数Ｐ（ｒ）をとって、眼内レンズの半径方向の度数分布を示すものである。このグラフにおいて、実線で示される曲線Ｍａｍ１は本実施の形態１に係る眼内レンズ１０の度数分布を示す曲線である。また、点線で示される曲線Ｍａは、眼内レンズを眼内に挿入したときに角膜の球面収差を打ち消すように設定される度数分布Ｍａである基準度数分布を示す基準度数分布曲線である。この基準度数分布曲線は、理論的に想定される角膜の球面収差を理論的に完全に打ち消すように設定された度数分布を示す曲線である。
【００１３】
すなわち、眼内レンズ１０が眼内に挿入されると、図２に示される光学系を構成することになる。この光学系において、角膜２０は、一種のレンズ機能を有し、球面収差を有する。そこで、眼内レンズ１０に角膜２０の球面収差を打ち消す度数分布を持たせれば、眼球全体としての球面収差をほぼ完全になくすことができる。この実施の形態では、眼内レンズ１０及び角膜２０を含む眼内の光学系の曲率半径や屈折率の値等を図２の下方に表で示した値とした。また、角膜モデルはLeGrandの眼モデルの角膜をベースに角膜の前面に円錐定数を入れ、人眼の角膜形状に近いものとした。さらに、後述の解析の際等においては、暗所を想定したので、アパーチャーは4mmとした。
【００１４】
図２の表に示されるように、角膜２０の前面の曲率半径Ｒ1が７．８ｍｍ、後面の曲率半径Ｒ2が６．５ｍｍであり、角膜中心部における厚さｄ1が０．５５ｍｍ、角膜後面から眼内レンズ１０の前面までの距離ｄ2が４．１ｍｍであり、眼内レンズの中心部の厚さｄ3が０．７ｍｍ、角膜２０の前面と接する角膜の外側の領域の屈折率ｎ1が１．０、角膜２０の屈折率ｎ2が１．３７７１、角膜２０と眼内レンズ１０との間の領域の屈折率ｎ3が１．３３６、眼内レンズ１０の屈折率ｎ4が１．５１７、眼内レンズ１０と像面または網膜（図示せず）との間の領域の屈折率ｎ5が１．３３６である。なお、実施の形態１及び後述する実施の形態２にかかる眼内レンズとして、眼内パワーが２０ディオプトリーのものを用いた。この光学系（模型眼と眼内レンズ）の屈折力エラーは、−０．７５Ｄに設定した。言い換えれば、模型眼と眼内レンズの光学系は、−０．７５Ｄに近視化させている。これは単焦点眼内レンズの白内障手術の場合、−０．５Ｄから−１．０Ｄの近視化が一般的に行なわれているからである。また、模型眼と眼内レンズの光学系の像面の位置は光学系のアパーチャーが３ｍｍの時のベストフォーカスの位置に設定した。
【００１５】
この実施の形態に係る眼内レンズ１０の度数分布は、図１に示されるように、基準度数分布曲線Ｍａに対して、眼内レンズ２０の中心近傍の領域１１中にある領域Ｅ1においては、この基準度数分布で表される度数よりも大きい度数を有しており、この領域が正度数偏移領域となっている。また、眼内レンズ２０の中心近傍の領域１１中にある領域Ｅ2においては、この基準度数分布で表される度数よりも小さい度数を有しており、この領域が負度数偏移領域となっている。実施の形態１にかかる眼内レンズの度数分布を多項式に近似させると下記のようになる。
【数１】
2007330478.tif 000003
【００１６】
図３に示されるように、実施の形態１にかかる眼内レンズの度数分布曲線（Ｍａｍ１：図３において一点鎖線で示される曲線）は、基準度数分布曲線（Ｍａ：図３において鎖線で示される曲線）に対して蛇行するようにずらした曲線となっている。通常の球面眼内レンズの度数分布曲線は実線で示してあるが、基準度数分布曲線Ｍａは、この通常の球面眼内レンズの度数分布に対し、角膜で発生する球面収差を打ち消すような収差補正を加えた度数分布となっている。そして、実施の形態１にかかる眼内レンズの度数分布曲線Ｍａｍ１は、この基準度数分布曲線Ｍａに対してさらに蛇行するようにずらした曲線としたものである。この場合、領域Ｅ１内での正度数への変移量は、平均＋０．２ディオプトリーであり、領域Ｅ２内での負度数への変移量は、平均―０．２ディオプトリーである。
【００１７】
図４は、図３に示した度数分布を有する本発明の実施の形態１にかかる眼内レンズ、球面眼内レンズ及び基準度数分布Ｍａを持つ眼内レンズを眼内に配置したときのそれぞれの場合の眼球全体の球面収差を示すグラフである。図４において、実線で示される曲線が球面眼内レンズを配置した場合の収差分布曲線であり、図の鎖線で示される曲線が基準度数分布Ｍａを有する眼内レンズ（Ｍａの眼内レンズ）を配置した場合の収差分布曲線であり、図の一点鎖線で示される曲線が実施の形態１にかかる眼内レンズ（Ｍａｍ１の眼内レンズ）を配置した場合の収差分布曲線である。
【００１８】
図４に示されるように、角膜の収差が補正されていない球面眼内レンズを配置した場合には、眼球全体の収差が眼内レンズ中心から離れるに従って急激に大きくなることがわかる。これに対して、基準度数分布を有する眼内レンズの場合は、角膜の収差が完全に補正されるので、収差が完全にゼロになっている。そして、本実施の形態にかかる眼内レンズでは、光学中心近傍においては、はじめに正の収差が生じ、その後負の収差が生ずるが、その領域から外れて外周に向かう領域においては収差がゼロとなっている。
【００１９】
図５は、本発明の実施の形態にかかる眼内レンズ、球面眼内レンズ及び基準度数分布Ｍａを持つ眼内レンズを眼内光学系の光学軸にその光軸を一致させて配置したときのそれぞれの場合における空間周波数ｆが５０本／ｍｍの場合のコントラストを示すグラフである。図５のグラフにおいて、縦軸がコントラストであり、横軸が物体との距離である。なお、これらのグラフは、ZEMAX社の光学解析ソフトZEMAXを用いて解析することによって求めた。図５に示されるように、眼内レンズの光学軸が眼内の眼球光学系の光学軸に一致している場合には、基準度数分布１を有する眼内レンズのコントラストが最も良く、次いで、本実施の形態１にかかる眼内レンズが良く、これらの中では球面眼内レンズのコントラストが一番劣る。
【００２０】
これに対して、図６は本発明の実施の形態１にかかる眼内レンズ、球面眼内レンズ及び基準度数分布１を持つ眼内レンズを眼内光学系の光学軸に対してその光軸を０．５ｍｍ偏芯させて配置したときのそれぞれの場合における空間周波数ｆが５０本／ｍｍの場合のコントラストを示すグラフである。図６に示されるように、光軸が偏芯している場合には、光軸が一致している場合と異なり、本実施の形態に係る眼内レンズのこのコントラストが最もよく、次いで、球面眼内レンズが良く、基準度数分布を持つ眼内レンズが一番劣る。
【００２１】
図７は本発明の実施の形態１にかかる眼内レンズ、球面眼内レンズ及び基準度数分布を持つ眼内レンズを眼内光学系の光学軸にその光軸を一致させて配置したときのそれぞれの場合における空間周波数ｆが１００本／ｍｍの場合のコントラストを示すグラフ、図８は本発明の実施の形態１にかかる眼内レンズ、球面眼内レンズ及び基準度数分布１を持つ眼内レンズを眼内光学系の光学軸に対してその光軸を０．５ｍｍ偏芯させて配置したときのそれぞれの場合における空間周波数ｆが１００本／ｍｍの場合のコントラストを示すグラフである。図７及び図８に示されるように、空間周波数ｆを大きくした場合でも、上記同様に、眼内レンズの光軸が眼内光学系の光軸に対してずれている場合には、本実施の形態１に係る眼内レンズのコントラストが最も良いことがわかる。
【００２２】
図９は本発明の実施の形態１にかかる眼内レンズ、球面眼内レンズ及び基準度数分布Ｍａを持つ眼内レンズをそれぞれ眼内光学系の光学軸に対して偏芯させて配置した場合における偏芯量と空間周波数ｆが５０本／ｍｍの場合のコントラストとの関係を示すグラフ、図１０は本発明の実施の形態１にかかる眼内レンズ、球面眼内レンズ及び基準度数分布Ｍａを持つ眼内レンズをそれぞれ眼内光学系の光学軸に対しての偏芯させて配置した場合における偏芯量と空間周波数ｆが１００本／ｍｍの場合のコントラストとの関係を示すグラフである。これらの図からわかるように、眼内レンズの偏芯量が非常に小さい場合には、基準度数分布を有する眼内レンズのほうがコントラストが良いが、偏芯量がある値以上、例えば、０．２〜０．３ｍｍ以上になると、実施の形態にかかる眼内レンズのほうがコントラストが良くなることがわかる。眼内レンズを眼内に挿入配置した場合、一般的に、０．３ｍｍ以上偏芯することが普通なので、結局、実際上は、実施の形態にかかる眼内レンズのほうがコントラストが良いことになる。このように、基準度数分布Ｍａのレンズを偏芯なしに眼内に挿入した場合、無限遠方にある物体からくる平行光線が像面に結像するときのスポット分布（スポットダイアグラム）は光軸上の点となり、コントラストは非常に良い。一方、実施態様１のレンズを偏芯なしに眼内に挿入した場合には、正度数偏移領域と負度数偏移領域があるため、基準度数分布Ｍａのレンズと比べスポット分布はやや大きく点にはならないが、スポット分布の中心が光軸上にあるため、基準度数分布Ｍａの度数分布に対し変移領域の度数変移量が小さく、コントラストの差に大きな違いはない。
一方、眼内でレンズが偏芯している場合、スポット分布は光軸から離れた位置に出来、その大きさも広がることになる。その場合、基準度数分布がＭａのレンズでは、度数分布が半径方向に向かうに従い小さくなっているため、偏芯の影響がそのままスポット分布の大きさとして反映し、かなり大きなスポット分布となる。これに対し、実施態様1のレンズ（Ｍａｍ１）では、正度数変移領域と負度数変移領域がスポット分布の大きさを抑制する方向に働くため、基準度数分布のＭａレンズと比べスポット分布の大きさは小さくなり、コントラストは高くなる。この考え方は，後述する図２５、２６に示されるさまざまな態様のレンズにもあてはまることである。
【００２３】
図１１は実施の形態２にかかる眼内レンズの度数分布Ｍｂｍ１並びに球面眼内レンズの度数分布及び基準度数分布Ｍｂを示したグラフである。ここで、基準度数分布曲線Ｍｂは、光学軸近傍においては、球面眼内レンズの度数と同じ度数を有し、外周側に向けて角膜の球面収差を打ち消す方向の度数分布を有するものである。すなわち、この基準度数分布曲線Ｍｂは、光学軸近傍においては、角膜の球面収差を打ち消す度数分布とはせず、また、その他の領域においても角膜の球面収差を打ち消す方向の度数分布とはなっているが、基準度数分布Ｍａとは異なり、角膜の球面収差を完全に打ち消すことはしていないものである。
【００２４】
図１２は本発明の実施の形態２にかかる眼内レンズ、球面眼内レンズ及び基準度数分布Ｍｂを持つ眼内レンズを眼内に配置したときのそれぞれの場合の眼球全体の球面収差を示すグラフである。図１２において、実線で示される曲線が球面眼内レンズ（ＩＯＬ）を配置した場合の収差分布曲線であり、図の鎖線で示される曲線が基準度数分布Ｍｂを有する眼内レンズを配置した場合の収差分布曲線であり、図の一点鎖線で示される曲線が実施の形態２にかかる眼内レンズ（Ｍｂｍ１の眼内レンズ）を配置した場合の収差分布曲線である。図１２に示されるように、この実施の形態２では、基準度数分布Ｍｂを有する眼内レンズの場合にも、角膜の収差が完全には補正されないので、収差が完全にゼロにはなっていない。
【００２５】
図１３は本発明の実施の形態２にかかる眼内レンズ、球面眼内レンズ及び基準度数分布Ｍｂを持つ眼内レンズを眼内光学系の光学軸にその光軸を一致させて配置したときのそれぞれの場合における空間周波数ｆが５０本／ｍｍの場合のコントラストを示すグラフである。図１３のグラフにおいて、縦軸がコントラストであり、横軸が物体との距離である。なお、これらのグラフは、ZEMAX社の光学解析ソフトZEMAXを用いて解析することによって求めた。図１３に示されるように、眼内レンズの光学軸が眼内光学系の光学軸に一致している場合には、基準度数分布Ｍｂを有する眼内レンズのコントラストが最も良く、次いで、本実施の形態２にかかる眼内レンズ（Ｍｂｍ１の度数分布を持つ眼内レンズ）が良く、これらの中では球面眼内レンズ(球面ＩＯＬ)のコントラストが一番劣る。
【００２６】
これに対して、図１４は本発明の実施の形態２にかかる眼内レンズ、球面眼内レンズ及び基準度数分布Ｍｂを持つ眼内レンズを眼内光学系の光学軸に対してその光軸を０．５ｍｍ偏芯させて配置したときのそれぞれの場合における空間周波数ｆが５０本／ｍｍの場合のコントラストを示すグラフである。図１４に示されるように、光軸が偏芯している場合には、光軸が一致している場合と異なり、本実施の形態２に係る眼内レンズのこのトラストが最もコントラストがよく、次いで、球面眼内レンズが良く、基準度数分布Ｍｂを持つ眼内レンズが一番劣る。
【００２７】
図１５は本発明の実施の形態２にかかる眼内レンズ、球面眼内レンズ及び基準度数分布２を持つ眼内レンズを眼内光学系の光学軸にその光軸を一致させて配置したときのそれぞれの場合における空間周波数ｆが１００本／ｍｍの場合のコントラストを示すグラフ、図１６は本発明の実施の形態２にかかる眼内レンズ、球面眼内レンズ及び基準度数分布Ｍｂを持つ眼内レンズを眼内光学系の光学軸に対してその光軸を０．５ｍｍ偏芯させて配置したときのそれぞれの場合における空間周波数ｆが１００本／ｍｍの場合のコントラストを示すグラフである。図１５及び図１６に示されるように、空間周波数ｆを大きくした場合でも、上記同様に、眼内レンズの光軸が眼内光学系の光軸に対してずれている場合には、本実施の形態に係る眼内レンズのコントラストが最も良いことがわかる。なお、実施の形態２にかかる眼内レンズ（Ｍｂｍ１の度数分布を持つ眼内レンズ）、球面眼内レンズ及び基準度数分布Ｍｂを持つ眼内レンズをそれぞれ眼内光学系の光学軸に対して偏芯させて配置した場合の偏芯量と空間周波数ｆが５０本／ｍｍの場合のコントラストとの関係は、図２７に示した。
【００２８】
図１７は比較例としての球面眼内レンズの度数分布並びに基準度数分布Ｍａ及び基準度数分布Ｍｂを示したグラフである。ここで、基準度数分布Ｍａは、角膜の球面収差を完全に打ち消すような度数分布である。また、基準度数分布Ｍｂは、光学軸近傍においては、球面眼内レンズの度数と同じ度数を有し、外周側に向けて角膜の球面収差を打ち消す方向の度数分布を有するものである。すなわち、この基準度数分布Ｍｂは、光学軸近傍においては、角膜の球面収差を打ち消す度数分布とはせず、また、その他の領域においても角膜の球面収差を打ち消す方向の度数分布とはなっているが、基準度数分布Ｍａとは異なり、角膜の球面収差を完全に打ち消すことはしていないものである。
【００２９】
図１８は比較例としての球面眼内レンズの度数分布、基準度数分布Ｍａ及び基準度数分布Ｍｂを持つ眼内レンズを眼内に配置したときのそれぞれの場合の眼球全体の球面収差を示すグラフである。図１８において、実線で示される曲線が球面眼内レンズを配置した場合の収差分布曲線であり、図の鎖線で示される曲線が基準度数分布Ｍａを有する眼内レンズを配置した場合の収差分布曲線であり、図の一点鎖線で示される曲線が基準度数分布Ｍｂを有する眼内レンズを配置した場合の収差分布曲線である。図１８に示されるように、基準度数分布Ｍａを有する眼内レンズの場合のみ収差がゼロになり、基準度数分布Ｍｂを有する眼内レンズの場合は、収差が少し残り、球面眼内レンズの場合は、レンズ外周に行くに従って収差が急激に大きくなる。
【００３０】
図１９は比較例としての球面眼内レンズ、基準度数分布Ｍａ及び基準度数分布Ｍｂを持つ眼内レンズを眼内光学系の光学軸にその光軸を一致させて配置したときのそれぞれの場合における空間周波数ｆが５０本／ｍｍの場合のコントラストを示すグラフである。図１９のグラフにおいて、縦軸がコントラストであり、横軸が物体との距離である。なお、これらのグラフは、ZEMAX社の光学解析ソフトZEMAXを用いて解析することによって求めた。図１９に示されるように、眼内レンズの光学軸が眼内光学系の光学軸に一致している場合には、基準度数分布Ｍａ，Ｍｂを有する眼内レンズのコントラストが、球面眼内レンズのコントラストに比較してよいことがわかる。
【００３１】
これに対して、図２０は球面眼内レンズ並びに基準度数分布Ｍａ及びＭｂを持つ眼内レンズを眼内光学系の光学軸に対してその光軸を０．５ｍｍ偏芯させて配置したときのそれぞれの場合における空間周波数ｆが５０本／ｍｍの場合のコントラストを示すグラフである。図２０に示されるように、光軸が偏芯している場合には、光軸が一致している場合と異なり、基準度数分布Ｍａ，Ｍｂを有する眼内レンズのコントラストが、球面眼内レンズのコントラストより悪化してしまうことがわかる。
【００３２】
図２１は比較例としての球面眼内レンズ並びに基準度数分布Ｍａ及びＭｂを持つ眼内レンズを眼内光学系の光学軸にその光軸を一致させて配置したときのそれぞれの場合における空間周波数ｆが１００本／ｍｍの場合のコントラストを示すグラフ、図２２は比較例としての球面眼内レンズ並びに基準度数分布Ｍａ及びＭｂを持つ眼内レンズを眼内光学系の光学軸に対してその光軸を０．５ｍｍ偏芯させて配置したときのそれぞれの場合における空間周波数ｆが１００本／ｍｍの場合のコントラストを示すグラフである。図２１及び図２２に示されるように、空間周波数ｆを大きくした場合でも、上記同様に、眼内レンズの光軸が眼内光学系の光軸に対してずれている場合には、基準度数分布Ｍａ及びＭｂを持つ眼内レンズのコントラストが、球面眼内レンズのコントラストよりも悪化してしまうことがわかる。
【００３３】
図２３は比較例としての球面眼内レンズ並びに基準度数分布Ｍａ及びＭｂを持つ眼内レンズをそれぞれ眼内光学系の光学軸に対して偏芯させて配置した場合における偏芯量と空間周波数ｆが５０本／ｍｍの場合のコントラストとの関係を示すグラフ、図２４は比較例としての球面眼内レンズ並びに基準度数分布Ｍａ及びＭｂを持つ眼内レンズをそれぞれ眼内光学系の光学軸に対して偏芯させて配置した場合における偏芯量と空間周波数ｆが１００本／ｍｍの場合のコントラストとの関係を示すグラフである。これらの図からわかるように、偏芯が略０．４ｍｍ以上になると、基準度数分布を有する眼内レンズのほうが、球面眼内レンズよりもコントラストが悪くなることがわかる。
【００３４】
図２５は基準度数分布の他の態様の説明図、図２６は本願発明の他の実施の形態にかかる眼内レンズの度数分布の態様を示す図である。図２５において、Ｍ１及びＭ２は、それぞれ実施の形態１及び２における基準度数分布Ｍａ及びＭｂをそれぞれ具体例の１つとして含むタイプある。このうちＭａ、は、角膜の球面収差を完全に打ち消すタイプの度数分布である。基準度数分布としては、Ｍ１のタイプに限られず、Ｍ２、Ｍ３，Ｍ４のタイプの度数分布であってもよい。また、本願発明にかかる眼内レンズの度数分布としては、実施の形態１（Ｍａｍ１）、実施の形態２（Ｍｂｍ１）に限られず、眼内レンズの中心近傍の領域中に、基準度数分布で表される度数よりも大きい度数を有する領域である正度数偏移領域と前記基準度数分布で表される度数よりも小さい度数を有する領域である負度数偏移領域とをそれぞれ少なくとも１つ備えた度数分布を有するものであればよく、例えば、図２５に示される基準度数分布に図２６に示されるｍ2〜ｍ8のタイプの調整パターンを乗せたものであってもよい。調整パターンとは、コントラストの低下抑制効果を得るために、基準度数分布に乗せる度数分布のパターンのことである。
【００３５】
ここで、上記Ｍ１タイプの基準度数分布は、レンズの中心をベース眼内パワーとしたときに、径方向に向かうに従い眼内パワーが低くなっていくタイプであり、実施態様1の基準度数分布Ｍａはこのタイプに含まれる。また、Ｍ２タイプの基準度数分布は、レンズの中心をベース眼内パワーとしたときに、径方向に向かうに従い眼内パワーが高くなり、特定の径からは眼内パワーが下がり始め、レンズ端部においてはベース眼内パワーよりも低くなっているタイプであり、実施態様２の基準度数分布Ｍｂはこのタイプに含まれる。また、Ｍ３タイプの基準度数分布は、レンズの中心をベース眼内パワーとしたときに、特定の径まではベース眼内パワーとほぼ同一のパワーを有し、特定の径からは径方向に向かうに従い眼内パワーが低くなっていくタイプである。Ｍ４タイプの基準度数分布は、レンズの中心をベース眼内パワーとしたときに、径方向に向かうに従い眼内パワーがゆるやかに低くなり、特定の径からは眼内パワーが急激に下がっていくタイプである。
【００３６】
また、調整パターンに関して、ｍ１タイプは、正度数偏移領域が中心円内にあり、その周りの環状領域に負度数偏移領域があるタイプである。ｍ２タイプは、ｍ１タイプの変形例である。ｍ３タイプは、負度数偏移領域が中心円内にありその周りの環状領域に正度数偏移領域があり、さらにその周りの環状領域に負度数偏移領域があるタイプである。ｍ４タイプ及びｍ５タイプは、正度数偏移領域が中心円内にあり、その周りの環状領域に負度数偏移領域があるタイプで、正度数偏移領域、負度数偏移領域とも特定範囲では偏移量が一定しているタイプである。ｍ６タイプは、正度数偏移領域が中心円内にありその周りの環状領域に負度数偏移領域があり、その周りの環状領域に正度数偏移領域があり、さらにその周りの環状領域に負度数偏移領域があるタイプである。ｍ７タイプは、ｍ３タイプと正度数偏移領域と負度数偏移領域が逆転しているタイプである。ｍ８タイプは、ｍ６タイプと正度数偏移領域と負度数偏移領域が逆転しているタイプである。
【００３７】
図２８はＭ３のタイプの基準度数分布にｍ１のタイプの調整パターンを乗せた眼内レンズ、球面眼内レンズ及び度数分布がＭ３のタイプの基準度数分布を持つ眼内レンズをそれぞれ眼内光学系の光学軸に対して偏芯させて配置した場合における偏芯量と空間周波数ｆが５０本／ｍｍの場合のコントラストとの関係を示すグラフ、図２９はＭ４のタイプの基準度数分布にｍ１のタイプの調整パターンを乗せた眼内レンズ、球面眼内レンズ及び度数分布がＭ４のタイプの基準度数分布を持つ眼内レンズをそれぞれ眼内光学系の光学軸に対して偏芯させて配置した場合における偏芯量と空間周波数ｆが５０本／ｍｍの場合のコントラストとの関係を示すグラフ、図３０はＭ１のタイプの基準度数分布にｍ４のタイプの調整パターンを乗せた眼内レンズ、球面眼内レンズ及び度数分布がＭ１のタイプの基準度数分布を持つ眼内レンズをそれぞれ眼内光学系の光学軸に対して偏芯させて配置した場合における偏芯量と空間周波数ｆが５０本／ｍｍの場合のコントラストとの関係を示すグラフ、図３１はＭ１のタイプの基準度数分布にｍ６のタイプの調整パターンを乗せた眼内レンズ、球面眼内レンズ及び度数分布がＭ１のタイプの基準度数分布を持つ眼内レンズをそれぞれ眼内光学系の光学軸に対して偏芯させて配置した場合における偏芯量と空間周波数ｆが５０本／ｍｍの場合のコントラストとの関係を示すグラフ、図３２はＭ１のタイプの基準度数分布にｍ３のタイプの調整パターンを乗せた眼内レンズ、球面眼内レンズ及び度数分布がＭ１のタイプの基準度数分布を持つ眼内レンズをそれぞれ眼内光学系の光学軸に対して偏芯させて配置した場合における偏芯量と空間周波数ｆが５０本／ｍｍの場合のコントラストとの関係を示すグラフである。これらの図に示されるように、これらの図に示されたいずれのタイプ度数分布を有する眼内レンズも光学軸の偏芯によるコントラストの低減を抑制できることがわかる。なお、本願発明による眼内レンズには、眼内に挿入されるレンズは全て含まれるものとする。
【産業上の利用可能性】
【００３８】
本発明は、例えば、白内障等により水晶体の除去手術を行なった眼球に挿入される眼内レンズであって、後房に挿入される眼内レンズはもちろんのこと、前房に入れる眼内レンズ、あるいは、有水晶体眼に用いられる屈折矯正用の眼内レンズ等にも利用することができる。
【図面の簡単な説明】
【００３９】
【図１】本発明の実施の形態１にかかる眼内レンズの度数分布の説明図である。
【図２】眼内レンズと角膜とで構成される眼内の光学系の概略説明図である。
【図３】本発明の実施の形態１にかかる眼内レンズの度数分布（Ｍａｍ1）並びに球面眼内レンズの度数分布および基準度数分布Ｍａを示すグラフである。
【図４】本発明の実施の形態１にかかる眼内レンズ（Ｍａｍ1）並びに球面眼内レンズおよび基準度数分布Ｍａを持つ眼内レンズを眼内に配置したときのそれぞれの場合の眼球全体の球面収差を示すグラフである。
【図５】本発明の実施の形態１にかかる眼内レンズ（Ｍａｍ1）並びに球面眼内レンズおよび基準度数分布Ｍａを持つ眼内レンズを眼内光学系の光学軸にその光軸を一致させて配置したときのそれぞれの場合における空間周波数ｆが５０本の場合のコントラストを示すグラフである。
【図６】本発明の実施の形態１にかかる眼内レンズ（Ｍａｍ1）並びに球面眼内レンズおよび基準度数分布Ｍａを持つ眼内レンズを眼内光学系の光学軸に対してその光軸を０．５ｍｍ偏芯させて配置したときのそれぞれの場合における空間周波数ｆが５０本の場合のコントラストを示すグラフである。
【図７】本発明の実施の形態１にかかる眼内レンズ（Ｍａｍ1）並びに球面眼内レンズおよび基準度数分布Ｍａを持つ眼内レンズを眼内光学系の光学軸にその光軸を一致させて配置したときのそれぞれの場合における空間周波数ｆが１００本／ｍｍの場合のコントラストを示すグラフである。
【図８】本発明の実施の形態１にかかる眼内レンズ（Ｍａｍ1）並びに球面眼内レンズおよび基準度数分布Ｍａを持つ眼内レンズを眼内光学系の光学軸に対してその光軸を０．５ｍｍ偏芯させて配置したときのそれぞれの場合における空間周波数ｆが１００本／ｍｍの場合のコントラストを示すグラフである。
【図９】本発明の実施の形態１にかかる眼内レンズ（Ｍａｍ1）並びに球面眼内レンズおよび基準度数分布Ｍａを持つ眼内レンズをそれぞれ眼内光学系の光学軸に対しての偏芯させて配置した場合における偏芯量と空間周波数ｆが５０本／ｍｍの場合のコントラストとの関係を示すグラフである。
【図１０】本発明の実施の形態１にかかる眼内レンズ（Ｍａｍ1）並びに球面眼内レンズおよび基準度数分布Ｍａを持つ眼内レンズをそれぞれ眼内光学系の光学軸に対して偏芯させて配置した場合における偏芯量と空間周波数ｆが１００本／ｍｍの場合のコントラストとの関係を示すグラフである。
【図１１】実施の形態２にかかる眼内レンズの度数分布（Ｍｂｍ1）並びに球面眼内レンズの度数分布および基準度数分布Ｍｂを示したグラフである。
【図１２】本発明の実施の形態２にかかる眼内レンズ（Ｍｂｍ1）並びに球面眼内レンズおよび基準度数分布Ｍｂを持つ眼内レンズを眼内に配置したときのそれぞれの場合の眼球全体の球面収差を示すグラフである。
【図１３】本発明の実施の形態２にかかる眼内レンズ（Ｍｂｍ1）並びに球面眼内レンズおよび基準度数分布Ｍｂを持つ眼内レンズを眼内光学系の光学軸にその光軸を一致させて配置したときのそれぞれの場合における空間周波数ｆが５０本／ｍｍの場合のコントラストを示すグラフである。
【図１４】本発明の実施の形態２にかかる眼内レンズ（Ｍｂｍ1）並びに球面眼内レンズおよび基準度数分布Ｍｂを持つ眼内レンズを眼内光学系の光学軸に対してその光軸を０．５ｍｍ偏芯させて配置したときのそれぞれの場合における空間周波数ｆが５０本／ｍｍの場合のコントラストを示すグラフである。
【図１５】本発明の実施の形態２にかかる眼内レンズ（Ｍｂｍ1）並びに球面眼内レンズおよび基準度数分布Ｍｂを持つ眼内レンズを眼内光学系の光学軸にその光軸を一致させて配置したときのそれぞれの場合における空間周波数ｆが１００本／ｍｍの場合のコントラストを示すグラフである。
【図１６】本発明の実施の形態２にかかる眼内レンズ（Ｍｂｍ1）並びに球面眼内レンズおよび基準度数分布Ｍｂを持つ眼内レンズを眼内光学系の光学軸に対してその光軸を０．５ｍｍ偏芯させて配置したときのそれぞれの場合における空間周波数ｆが１００本／ｍｍの場合のコントラストを示すグラフである。
【図１７】比較例としての球面眼内レンズの度数分布並びに基準度数分布Ｍａ及び基準度数分布Ｍｂを示したグラフである。
【図１８】比較例としての球面眼内レンズの度数分布、基準度数分布Ｍａ及び基準度数分布Ｍｂを持つ眼内レンズを眼内に配置したときのそれぞれの場合の眼球全体の球面収差を示すグラフである。
【図１９】比較例としての球面眼内レンズ又は基準度数分布Ｍａもしくは基準度数分布Ｍｂを持つ眼内レンズを眼内光学系の光学軸にその光軸を一致させて配置したときのそれぞれの場合における空間周波数ｆが５０本／ｍｍの場合のコントラストを示すグラフである。
【図２０】球面眼内レンズ又は基準度数分布Ｍａ及びＭｂを持つ眼内レンズを眼内光学系の光学軸に対してその光軸を０．５ｍｍ偏芯させて配置したときのそれぞれの場合における空間周波数ｆが５０本／ｍｍの場合のコントラストを示すグラフである。
【図２１】比較例としての球面眼内レンズ又は基準度数分布Ｍａ及びＭｂを持つ眼内レンズを眼内光学系の光学軸にその光軸を一致させて配置したときのそれぞれの場合における空間周波数ｆが１００本／ｍｍの場合のコントラストを示すグラフである。
【図２２】比較例としての球面眼内レンズ又は基準度数分布Ｍａ及びＭｂを持つ眼内レンズを眼内光学系の光学軸に対してその光軸を０．５ｍｍ偏芯させて配置したときのそれぞれの場合における空間周波数ｆが１００本／ｍｍの場合のコントラストを示すグラフである。
【図２３】比較例としての球面眼内レンズ又は基準度数分布Ｍａ及びＭｂを持つ眼内レンズをそれぞれ眼内光学系の光学軸に対して偏芯させて配置した場合における偏芯量と空間周波数ｆが５０本／ｍｍの場合のコントラストとの関係を示すグラフである。
【図２４】比較例としての球面眼内レンズ又は基準度数分布Ｍａ及びＭｂを持つ眼内レンズをそれぞれ眼内光学系の光学軸に対して偏芯させて配置した場合における偏芯量と空間周波数ｆが１００本／ｍｍの場合のコントラストとの関係を示すグラフである。
【図２５】基準度数分布の態様の説明図である。
【図２６】本願発明の調整パターンの態様を示す図である。
【図２７】本発明の実施の形態２にかかる眼内レンズ（Ｍｂｍ１の度数分布を持つ眼内レンズ）、球面眼内レンズ及び基準度数分布Ｍｂを持つ眼内レンズをそれぞれ眼内光学系の光学軸に対して偏芯させて配置した場合における偏芯量と空間周波数ｆが５０本／ｍｍの場合のコントラストとの関係を示すグラフである。
【図２８】Ｍ３のタイプの基準度数分布を持つ眼内レンズにｍ１のタイプの調整パターンを乗せた眼内レンズ（Ｍ３ｍ１）、球面眼内レンズ及び度数分布がＭ３のタイプの基準度数分布を持つ眼内レンズをそれぞれ眼内光学系の光学軸に対して偏芯させて配置した場合における偏芯量と空間周波数ｆが５０本／ｍｍの場合のコントラストとの関係を示すグラフである。
【図２９】Ｍ４のタイプの基準度数分布を持つ眼内レンズにｍ１のタイプの調整パターンを乗せた眼内レンズ（Ｍ４ｍ１）、球面眼内レンズ及び度数分布がＭ４のタイプの基準度数分布を持つ眼内レンズをそれぞれ眼内光学系の光学軸に対して偏芯させて配置した場合における偏芯量と空間周波数ｆが５０本／ｍｍの場合のコントラストとの関係を示すグラフである。
【図３０】Ｍ１のタイプの基準度数分布を持つ眼内レンズにｍ５のタイプの調整パターンを乗せた眼内レンズ（Ｍ１ｍ４）、球面眼内レンズ及び度数分布がＭ１のタイプの基準度数分布を持つ眼内レンズをそれぞれ眼内光学系の光学軸に対して偏芯させて配置した場合における偏芯量と空間周波数ｆが５０本／ｍｍの場合のコントラストとの関係を示すグラフである。
【図３１】Ｍ１のタイプの基準度数分布を持つ眼内レンズにｍ６のタイプの調整パターンを乗せた眼内レンズ（Ｍ１ｍ６）、球面眼内レンズ及び度数分布がＭ１のタイプの基準度数分布を持つ眼内レンズをそれぞれ眼内光学系の光学軸に対して偏芯させて配置した場合における偏芯量と空間周波数ｆが５０本／ｍｍの場合のコントラストとの関係を示すグラフである。
【図３２】Ｍ１のタイプの基準度数分布を持つ眼内レンズにｍ３のタイプの調整パターンを乗せた眼内レンズ（Ｍ１ｍ３）、球面眼内レンズ及び度数分布がＭ１のタイプの基準度数分布を持つ眼内レンズをそれぞれ眼内光学系の光学軸に対して偏芯させて配置した場合における偏芯量と空間周波数ｆが５０本／ｍｍの場合のコントラストとの関係を示すグラフである。
【図３３】眼内レンズの光軸が眼球の光軸からずれている様子を示す図である。
【符号の説明】
【００４０】
１０  眼内レンズ
１１  光学中心Ｏの近傍の領域
２０  角膜
【図１】
2007330478.tif 000004
【図２】
2007330478.tif 000005
【図３】
2007330478.tif 000006
【図４】
2007330478.tif 000007
【図５】
2007330478.tif 000008
【図６】
2007330478.tif 000009
【図７】
2007330478.tif 000010
【図８】
2007330478.tif 000011
【図９】
2007330478.tif 000012
【図１０】
2007330478.tif 000013
【図１１】
2007330478.tif 000014
【図１２】
2007330478.tif 000015
【図１３】
2007330478.tif 000016
【図１４】
2007330478.tif 000017
【図１５】
2007330478.tif 000018
【図１６】
2007330478.tif 000019
【図１７】
2007330478.tif 000020
【図１８】
2007330478.tif 000021
【図１９】
2007330478.tif 000022
【図２０】
2007330478.tif 000023
【図２１】
2007330478.tif 000024
【図２２】
2007330478.tif 000025
【図２３】
2007330478.tif 000026
【図２４】
2007330478.tif 000027
【図２５】
2007330478.tif 000028
【図２６】
2007330478.tif 000029
【図２７】
2007330478.tif 000030
【図２８】
2007330478.tif 000031
【図２９】
2007330478.tif 000032
【図３０】
2007330478.tif 000033
【図３１】
2007330478.tif 000034
【図３２】
2007330478.tif 000035
【図３３】
2007330478.tif 000036
【手続補正書】
【提出日】平成19年5月22日(2007.5.22)
【手続補正１】
【補正対象書類名】明細書
【補正対象項目名】０００２
【補正方法】変更
【補正の内容】
【０００２】
白内障等により水晶体の除去手術を行った眼球には、視力回復のために眼内レンズが挿入される。現在の眼内レンズの光学設計の主流は球面設計である。それは球面レンズは眼内レンズに要求される多くの機能をほどほどに有しており、また、製造上も作り易く、度数管理をする上でも便利だからである。しかしながら、ある特定の機能に着目し、その機能の向上を目指した眼内レンズも開発されている。その特定機能の向上を目指した技術
の流れは２つの流れに分けることができ、その第１の流れは、近い物体から遠くの物体までを見ることができるようにしようとの試みであり、第２の流れは、より鮮明に物体を見ることができるようにしようとの試みである。
【手続補正２】
【補正対象書類名】明細書
【補正対象項目名】０００６
【補正方法】変更
【補正の内容】
【０００６】
特許文献３〜５に記載の技術は、いずれも球面収差の低減を図っているが、焦点深度が浅くなるため、球面レンズに比べると見える範囲が狭くなるとの欠点を有する。これら収差補正用のレンズは光軸から離れるに従って大きくなる球面収差の低減を図っているものであるから、マルチフォーカルレンズの度数分布と比べると単純な度数分布となっている。
【特許文献１】特開昭60-85744号公報
【特許文献２】特表2000-511439号公報
【特許文献３】米国特許第4504982号明細書
【特許文献４】特表2003−534565号公報
【特許文献５】特開2006−14818号公報